(57)【要約】【課題】  ホールド型の表示装置における動画特性の改善を、少ない消費電力で効果的に行う。【解決手段】  所定の周期で映像が書き込まれる表示部２０の背面を照明する場合に、表示部２０の背面を複数に分割して個別に発光できる個別発光部３１〜３６を備えて、表示部２０に映像が書き込まれる周期に同期して、個別発光部３１〜３６の発光駆動信号を、異なるタイミングで順次変調すると共に、その映像が書き込まれる周期に同期した変調波形として、ガウス分布波形又はガウス分布に近い波形とするようにした。【選択図】      図１
2006243283.tif 000002
【特許請求の範囲】
【請求項１】
所定の周期で映像が書き込まれる表示部の背面を照明する照明装置において、
前記表示部の背面を複数に分割して個別に発光できる個別発光部と、
前記表示部に映像が書き込まれる周期に同期して、前記個別発光部の発光駆動信号を、異なるタイミングで順次変調する変調部と、
前記変調部での映像が書き込まれる周期に同期した変調波形として、ガウス分布波形又はガウス分布に近い波形とする制御部とを備えることを特徴とする
照明装置。
【請求項２】
所定の周期で映像が書き込まれる表示部と、
前記表示部を複数に分割して個別に発光できる個別発光部と、
前記表示部に映像が書き込まれる周期に同期して、前記個別発光部の発光駆動信号を、異なるタイミングで順次変調する変調部と、
前記変調部での映像が書き込まれる周期に同期した変調波形として、ガウス分布波形又はガウス分布に近い波形とする制御部とを備えることを特徴とする
表示装置。
【請求項３】
請求項２記載の表示装置において、
前記制御部は、前記表示部に表示される映像の動き成分に応じて、前記表示部に書き込ませる映像の高域成分を持ち上げる補償処理を行うことを特徴とする
表示装置。
【請求項４】
所定の周期で映像が書き込まれる表示部と、
前記表示部を複数に分割して個別に発光できる個別発光部と、
前記表示部に書き込まれる映像の各部分の動き量を検出する演算部と、
前記演算部で検出された動き量に応じて、前記表示部に書き込ませる映像の高域成分を持ち上げる補償処理を行う制御部を備えることを特徴とする
表示装置。
【請求項５】
所定の周期で映像が表示される表示発光部と、
前記表示部を複数に分割して個別に調光できる個別調光機能と、
前記表示部に映像が表示される周期に同期して、前記個別調光機能の調光駆動信号を、異なるタイミングで順次変調する変調部と、
前記変調部での映像が書き込まれる周期に同期した変調波形として、ガウス分布波形又はガウス分布に近い波形とする制御部とを備えることを特徴とする
表示装置。
【請求項６】
請求項５記載の表示装置において、
前記制御部は、前記表示発光部に表示される映像の動き成分に応じて、前記表示発光部に書き込ませる映像の高域成分を持ち上げる補償処理を行うことを特徴とする
表示装置。
【請求項７】
所定の周期で映像が書き込まれる表示発光部と、
前記表示発光部を複数に分割して個別に調光できる個別調光機能と、
前記表示発光部に書き込まれる映像の各部分の動き量を検出する演算部と、
前記演算部で検出された動き量に応じて、前記表示発光部に書き込ませる映像の高域成分を持ち上げる補償処理を行う制御部を備えることを特徴とする
表示装置。
【発明の詳細な説明】
【技術分野】
【０００１】
本発明は、例えば液晶映像表示装置のバックライトに適用して好適な照明装置、及びその照明装置が組み込まれた表示装置に関する。
【背景技術】
【０００２】
近年、テレビジョン受像機などの動画像表示用の表示装置として、液晶表示装置が普及している。液晶表示装置は、形状の薄さや軽さ、低消費電力、高解像度など、ディスプレイデバイスとして、今後の普及が有望なものの１つである。
【０００３】
液晶表示装置は、表示パネルそのものが発光しないので、表示パネルの背面にバックライトを配置して、そのバックライトで照明する必要がある。
【０００４】
ところで、動画像表示用の表示装置には、画像の表示状態から見た分類として、ホールド型表示を行うものと、インパルス型表示を行うものの２種類がある。上述した液晶表示装置は、ホールド型表示と称され、例えば１フレーム期間の１枚の映像が、ほぼその１フレーム期間連続して表示される。これに対して、従来の陰極線管のような表示装置は、インパルス型表示を行うタイプであり、電子ビームなどの走査で、１フレーム内の各ラインの画素位置が一瞬だけ発光する。ホールド型表示とインパルス型表示を比較した場合、動画特性に大きな違いがある。即ち、一般には、比較的動きのある動画を表示する場合には、インパルス型表示を行うディスプレイの方が、特性が優れている。
【０００５】
特許文献１には、ホールド型表示装置の動画表示特性の改善を、表示装置で表示させる映像信号に補正を加えることで行うことについての開示がある。
【特許文献１】特開２００３−３４５２８５号公報
【発明の開示】
【発明が解決しようとする課題】
【０００６】
ここで、ホールド型表示を行う場合と、インパルス型表示を行う場合とで、動画像の見え方が異なることを、図７以降の図を参照して説明する。図７に示すように、画面１００の中に、所定の形状の像１０１が表示されているとする。この像１０１は、矢印ｍで示すように、時間の変化とともに右側に一定速度で水平に移動しているものとする。
【０００７】
図８は、図７の像１０１のある特定の水平ラインｙ0の、時間変化による表示位置変化を、理想的な状態で示した図である。横軸が表示位置を示し、縦軸が時間の変化である。水平ラインｙ0が水平方向に一定速度で移動しているとすると、理想的には図８に示すように、その移動速度に比例して連続的に表示位置が変化する。
【０００８】
ここで、図８では画面中の表示位置の変化を示したが、この画像を見ている者は、その画面中の移動する像１０１を目で追うことになる。即ち、画面中の移動物体を目で追従することになる。図９（ａ）は、そのように移動物体（像１０１）を目で追従した場合の、見ている者の目の網膜上での座標位置を示したものであり、横軸が網膜上での座標位置を示し、縦軸が時間の変化である。図９（ｂ）は、網膜上での積分値を示したものである。図９（ａ）に示すように、理想的な状態では、移動した物体に網膜が追従しているため、網膜上では同一位置に継続的に見えることになり、図９（ｂ）に示す網膜上での積分値についても、同じ位置に積分される。この図９に示すように見えれば、動画像の輪郭のぼけは発生しない。
【０００９】
次に、陰極線管などのインパルス型表示を行うものの特性について説明すると、例えば、各水平ラインは、１フィールドに１回などの予め決められた周期で短時間発光するだけである。従って、図８に示した像１０１のある特定の水平ラインｙ0の時間変化による表示位置変化は、インパルス型表示では、図１０に示す状態となる。図１０の例では、３回発光した状態が示され、１回発光するごとに、ある一定距離ずつ位置が変化している。
【００１０】
この図１０に示す表示を、見ている者の目の網膜上での座標位置を示したものが図１１（ａ）であり、図１１（ｂ）は、網膜上での積分値を示したものである。この図１１に示すように、インパルス型表示の場合には、発光そのものは瞬間的であるが、網膜上は同位置となるように追従するため、網膜の残像効果で継続的に同じ位置で光って見える。従って、インパルス型表示の場合には、原理的に動動画表示時の特性劣化がない。
【００１１】
次に、ホールド型表示の場合の、図８に示した像１０１のある特定の水平ラインｙ0の時間変化による表示位置変化は、図１２に示す状態となる。図１２に示すように、第１フレームｆ１，第２フレームｆ２，第３フレームｆ３と各フレーム期間の間に、それぞれのフレームの画像が連続的に表示され、フレーム周期が変わるタイミングで、急激に１フレーム期間分の動きがあることになる。
【００１２】
この図１２に示す表示を、見ている者の目の網膜上での座標位置を示したものが図１３（ａ）であり、図１３（ｂ）は、網膜上での積分値を示したものである。この図１３（ａ）に示すように、ホールド型表示の場合には、１フレーム期間の間静止画像が連続表示されるため、肉眼が一定速度で追従視すると、図１３（ｂ）に示すように、網膜上での積分強度は、幅ｗだけ広がりを持ってしまう。幅ｗは、表示物体の移動速度ｖと１フレーム期間Ｔframeとの積で決まる。この網膜上で幅ｗだけ広くなった部分が、いわゆる画像の「表示ぼけ」として認識されてしまう。
【００１３】
このような表示のぼけは、例えばホールド型表示を行うものであっても、画面が発光している１フレーム中の発光期間を少なくすることで改善できる。例えば、液晶表示装置において、バックライトが点灯する期間を、１フレーム期間中の１／３に制限することで、図１４に示すような表示となる。この表示を、見ている者の目の網膜上での座標位置で示すと、図１５（ａ）に示すようになり、網膜上での積分値が図１５（ｂ）に示すようになる。この図１５と図１３を比較すれば判るように、網膜上でのぼけ幅ｗが、点灯期間の現象に伴って狭くなっており、それなりに「表示ぼけ」が改善されていることが判る。
【００１４】
ここまで説明した「表示ぼけ」を、網膜上でのＭＴＦ（Modulation Transfer Function）と、周波数との関係で示したものが、図１６である。この図において、縦軸はＭＴＦ値であり、横軸は、ｆ／ｆ0としてある。ｆは空間周波数であり、ｆ0は、追従視した場合に、動かない１点が、１フレームの時間期間中にどれだけ逆に移動して見えるか（つまりぼけの幅）の距離を波長とする空間周波数である。例えば、横１９２０画素のディスプレイにおいて、画面の左右両端を３秒間で移動する像を追従視すると、１フレームが１／６０の場合、ぼけの幅は１０．６画素となり、画素数本来のサンプリング限界よりも約１／１０の限界解像度しか持たないことになる。
【００１５】
この状況を改善するためには、既に図１４に示したように、バックライトを点滅させて、インパルス型に近い発光状態とすることが考えられる。この場合、例えば発光の割合を５０％にすれば、図１６のＭＴＦ値は２倍の周波数まで拡大され（横軸にそのまま２倍に拡大される）、さらに２０％にすれば５倍になる。従って、原理的にはこのような対処で動画ぼけが改善される。
【００１６】
ところが、バックライトの発光期間を短くすると、発光効率の低下の問題がある。即ち、このような発光制御の場合、単純に点灯している時間割合を低下させると、当然ながら表示画面の輝度が比例して低下してしまう。従って、輝度を連続点灯時と同じ条件に戻すためには、発光時間中の投入電力を大きくすればよい。
【００１７】
このような点滅制御を行うバックライトの光源としては、発光ダイオードが適しているが、発光ダイオードの入力電力対光出力の特性は、かなり非線形な特性であるのが一般的であり、例えば、点灯期間の割合が２０％であるとき、入力電力と発光輝度との関係が正比例していれば、５倍の電力を点灯期間中に入力させればよいが、実際には上述した非線形特性により、１４倍以上もの電力を点灯期間中に入力させないと、平均の輝度が同じにはならない。従って、バックライトの平均の駆動電力としては、常時発光時に比べて３倍近くになってしまう問題があり、単純な点滅での動画特性の改善は、消費電力が増大してしまい、現実的な解決法にはなっていない。
【００１８】
本発明はかかる点に鑑みてなされたものであり、ホールド型の表示装置における動画特性の改善を、少ない消費電力で効果的に行うことを目的とする。
【課題を解決するための手段】
【００１９】
本発明は、所定の周期で映像が書き込まれる表示部の背面を照明する場合に、表示部の背面を複数に分割して個別に発光できる個別発光部を備えて、表示部に映像が書き込まれる周期に同期して、個別発光部の発光駆動信号を、異なるタイミングで順次変調し、その映像が書き込まれる周期に同期した変調波形として、ガウス分布波形又はガウス分布に近い波形とするようにしたものである。
【００２０】
このようにしたことで、表示部の背面を照明する状態の制御で、動画特性の改善が行える。
【発明の効果】
【００２１】
本発明によると、表示部の背面を照明する状態の制御で、動画特性の改善が行え、単に１フィールド中の点灯割合を減らした場合よりも、電力効率などが優れた動画特性の改善が行える。
【発明を実施するための最良の形態】
【００２２】
以下、本発明の第１の実施の形態を、図１〜図５を参照して説明する。
【００２３】
本例においては、テレビジョン放送信号などの映像信号が入力される液晶表示装置に適用したものであり、図１に全体構成を示す。図１において、１１は映像信号入力端子であり、例えばチューナでテレビジョン放送信号を受信して得た映像信号や、ビデオディスク再生装置などから再生した映像信号などが供給される。
【００２４】
入力した映像信号は、映像信号入力部１２に供給されて、表示用の映像信号とする処理が行われる。映像信号入力部１２で処理された映像信号は、パネル駆動信号生成部１３に供給されて、液晶表示パネル２０の画素数に対応した駆動信号とされて、液晶表示パネル２０の各画素が駆動されて、表示処理が行われる。各画素の駆動としては、例えば各水平ライン単位で、画素に信号が書き込まれる処理が順に行われる。
【００２５】
液晶表示パネル２０は、ガラス基板或いは透明樹脂基板上に構成され、その液晶表示パネル２０の背面に、バックライト３０が配置される。本例のバックライト３０は、例えば発光素子として、発光ダイオードが使用され、１画面を複数の区画に分割して、その分割区画毎に個別に発光制御できる構成としてある。ここでは、画面の垂直方向に６つに分割して、第１発光部３１、第２発光部３２、第３発光部３３、第４発光部３４、第５発光部３５、第６発光部３６の６つの個別発光部を設け、個別に発光を制御できる構成としてある。但し、本例の場合には、各発光部３１〜３６内の発光素子から発光させた光が、それぞれの発光部内に隣接した発光部に漏れる構成であってもよく、各発光部３１〜３６を光学的に完全に分離させる必要はない。
【００２６】
次に、バックライト３０の各発光部３１〜３６の発光を制御する構成について説明すると、映像信号入力部１２に供給された映像信号の垂直同期信号及び水平同期信号が、同期検出部１４で検出される。検出された同期タイミングに基づいて、６つの発光部３１〜３６が隣接した液晶表示パネル２０の水平ラインの画素に映像が書き込まれるタイミングを判断し、それぞれの書込みタイミングに同期して、発光部を順に点灯させる発光駆動信号を、発光駆動信号生成部１５で生成させる。生成された発光駆動信号は、変調部１６に供給されて、映像信号のフレーム周期で、表示輝度がガウス分布波形（又はガウス分布波形に近い波形）で変化するように変調する。そして、その変調信号をバックライト３０の各発光部３１〜３６の光源（発光ダイオード）に供給して、点灯させる。光源として発光ダイオードを使用した場合には、例えば発光ダイオードに印加する電流を、フレーム周期でほぼガウス分布の発光波形となるようにする。
【００２７】
発光駆動信号生成部１５での生成処理及び変調部１６での変調処理については、制御部１９で制御される。例えば、表示画面の明るさ調整があった場合に、それぞれでの処理状態を変化させて、バックライト３０の各発光部３１〜３６の発光輝度を変化させる。
【００２８】
図２は、本例のガウス分布波形の例を示した図である。図２では、縦軸を表示輝度としてあり、横軸を時間としてある。図２は、１フレーム期間（１／６０秒）のガウス分布波形を示してあり、１フレーム期間の間で、中央を輝度のピーク位置として、輝度０レベル付近からピーク位置までガウス分布で徐々に立ち上がり、ピーク位置から輝度０レベル付近まで徐々にガウス分布でたち下がる波形としてあり、ピーク位置を中心として、左右対称の釣鐘型の波形となるようにしてある。ガウス分布は、正規分布とも称され、例えば正規分布の標準偏差として、１フレーム（１／６０秒）の０．１４倍として、波形を求める。但し、このような正確な分布波形から若干変化した波形であってもよい。例えば、１フレーム期間中で、輝度が０レベルになる期間をある程度設定するようにしてもよい。
【００２９】
図３は、このような波形で各発光部３１〜３６の発光が制御される状態の例を示したものであり、図３（ａ）は、１つの液晶表示パネル２０の各水平ラインの画素が書換えられるタイミングの変化を示したものである。ここでは、垂直方向に４８０画素配置された４８０水平ラインを有する構成の例としてあり、約３フレーム周期の変化を示してある。
【００３０】
このとき、第１発光部３１については、図３（ｂ）に示すように、その第１発光部３１で照明させるラインの画素が書き換えられたタイミングが輝度０となり、次のフレーム期間に書き換えられるまでの間で、輝度がガウス分布波形で上下するようにしてある。
【００３１】
第２発光部３２については、図３（ｃ）に示すように、その第２発光部３２で照明させるラインの画素が書き換えられたタイミングが輝度０となり、次のフレーム期間に書き換えられるまでの間で、輝度がガウス分布波形で上下するようにしてある。
【００３２】
以下同様に各発光部の発光タイミングが制御されて、第６発光部３６として、図３（ｄ）に示すように、その第６発光部３６で照明させるラインの画素が書き換えられたタイミングが輝度０となり、次のフレーム期間に書き換えられるまでの間で、輝度がガウス分布波形で上下するようにしてある。
【００３３】
このようにして、１フレーム周期で輝度がガウス分布波形で変化するようにしたことで、少ない消費電力で動画特性に優れた表示が可能になる。図４は、このようなガウス分布（正規分布）波形で輝度制御した場合の、ＭＴＦ値を示したものであり、発明が解決しようとする課題の欄で説明した図１６に対応した図である。図４に示した本例のＭＴＦ値で注目するべきは、図１６に示したＭＴＦ値の変化と異なり、レスポンスがゼロとなる特異点が消失し、空間周波数に対して、単調にＭＴＦ値が減少する特性を示している。単純な点滅動作で平均電力効率が同程度となる場合のＭＴＦ値とを比べると、図５のようになる。本例の場合には、連続点灯時の電力の約１．６倍となり、これは点滅動作では発光の時間割合が５０％の場合の電力に相当し、その発光の時間割合が５０％のＭＴＦ値を図５に破線で示してある。通常の５０％点灯の場合にはレスポンスがゼロとなる特異点が複数存在するが、本例の駆動波形の場合には特異値が存在せず、自然界のメカニズムによる通常のぼけに近い特性を示していることが分かる。
【００３４】
従って、本例の波形でバックライトを駆動することで、網膜上のＭＴＦ値の特性を改善し、このように動画表現特性を改善することができる。しかも、単純な点灯制御の場合に比べて、消費電力を低減させることができる。即ち、本例によると、ホールド型表示素子での追従視におけるぼけの問題を解決することが出来る。液晶表示装置の動画改善を目指す従来の方法で、動画のぼけの問題を解決するためには、短い時間割合で強い発光をするバックライトが必要となるため、例えば発光ダイオードによるバックライトでこれを実現すると、大幅な効率低下、消費電力増が不可避であった。これに対して、本例によれば、正規分布型の変調波形を用いることで、効率低下を最小限に抑えることが出来る。
【００３５】
次に、本発明の第２の実施の形態を、図６を参照して説明する。この図６において、第１の実施の形態で説明した図１に対応する部分には、同一符号を付す。第１の実施の形態では、バックライトの輝度制御をガウス分布とするようにしたが、本実施の形態の場合には、更に映像の動き成分に応じた補正を行うようにしたものである。
【００３６】
本例においても、第１の実施の形態と同様に、テレビジョン放送信号などの映像信号が入力される液晶表示装置に適用したものであり、図６に全体構成を示す。図６において、１１は映像信号入力端子である。入力端子１１に入力した映像信号は、映像信号入力部１２に供給されて、表示用の映像信号とする処理が行われる。映像信号入力部１２で処理された映像信号は、パネル駆動信号生成部１３に供給されて、液晶表示パネル２０の画素数に対応した駆動信号とされて、液晶表示パネル２０の各画素が駆動されて、表示処理が行われる。各画素の駆動としては、例えば各水平ライン単位で、画素に信号が書き込まれる処理が順に行われる。
【００３７】
液晶表示パネル２０は、ガラス基板或いは透明樹脂基板上に構成され、その液晶表示パネル２０の背面に、バックライト３０が配置される。本例のバックライト３０は、例えば発光素子として、発光ダイオードが使用され、１画面を複数の区画に分割して、その分割区画毎に個別に発光制御できる構成としてある。即ち、画面の垂直方向に６つに分割して、第１発光部３１〜第６発光部３６の６つの個別発光部を設け、個別に発光を制御できる構成としてある。本例の場合にも、各発光部３１〜３６内の発光素子から発光させた光が、それぞれの発光部内に隣接した発光部に漏れる構成であってもよい。
【００３８】
そして、バックライト３０の各発光部３１〜３６の発光を制御するために、映像信号入力部１２に供給された映像信号の垂直同期信号及び水平同期信号が、同期検出部１４で検出される。検出された同期タイミングに基づいて、６つの発光部３１〜３６が隣接した液晶表示パネル２０の水平ラインの画素に映像が書き込まれるタイミングを判断し、それぞれの書込みタイミングに同期して、発光部を順に点灯させる発光駆動信号を、発光駆動信号生成部１５で生成させる。生成された発光駆動信号は、変調部１６に供給されて、映像信号のフレーム周期で、表示輝度がガウス分布波形（又はガウス分布波形に近い波形）で変化するように変調する。そして、その変調信号をバックライト３０の各発光部３１〜３６の光源（発光ダイオード）に供給して、点灯させる。光源として発光ダイオードを使用した場合には、例えば発光ダイオードに印加する電流を、フレーム周期でほぼガウス分布の発光波形となるようにする。
【００３９】
ここまでは、第１の実施の形態で説明した構成と同じであるが、本例においては、映像信号入力部１２に供給された映像信号で示される映像の複数フレーム間の動き成分を、動き検出部１７で検出し、その検出された動き成分に基づいて、補償波形演算部１８で補償波形を演算するようにしてある。補償波形としては、液晶表示パネル２０で表示される映像そのものを補償する波形を生成させるようにしてある。
【００４０】
映像を補償する波形信号については、パネル駆動信号生成部１３に供給されて、液晶表示パネル２０で表示される映像が補正される。
【００４１】
この図６の構成での補正処理について説明すると、まず動き検出部１７では、動きのある部分を特定し、かつそれら一つ一つについて動きの方向とその速さ(動きベクトル)を求める処理が行われる。そして、動き検出部１７で検出された動きベクトルと、バックライト発光駆動のデータや、液晶の応答遅れ等を基に、網膜上のぼけを計算し、これを最小化する液晶駆動波形を、補償波形演算部１８で算出し、原信号との差分を補償信号として、パネル駆動信号生成部１３に供給して、補償させる。具体的には、例えば、表示画像中の動きがある部分について、映像の高域成分を持ち上げる処理が行われる。
【００４２】
補正のための補償波形演算部１８での演算の基本は、対象物の動きベクトルとバックライト駆動波形により、網膜上のＭＴＦ値を求め、これが１より小さい程度に応じてこれを補償するような信号波形を形成することである。図５のＭＴＦ値で明らかなように、実質的には、空間周波数に対してハイパス的な信号処理を行うことになる。この処理は、対象物の動きが大きいほど補償量が大きくなる方向となる。但し、完全にＭＴＦ値を１とするのは、ディスプレイ上で負を作れないこと、ディスプレイと駆動回路のダイナミックレンジの問題の、両方で現実的ではないので、実際にはこれらの制限の中で、最も視覚上効果のある補正をしていくことになる。
【００４３】
このようにして、表示画像の動き成分に応じて補正することで、より特性を改善することができる。即ち、追従視における網膜上のぼけは、画面内での対象物の動き量とバックライトの駆動波形が既知であれば、完全に計算可能である。従って逆に言えば、レスポンスがゼロでない限り、これを補償する形の液晶駆動波形を求めることが出来る。勿論、表示素子において負の表現（負の光）が不可能である以上、完全な補償は不可能ではあるが、少なくとも最大の改善を達成するような駆動補償波形を計算することは可能である。
【００４４】
この第２の実施の形態では、バックライトの発光をガウス分布波形として制御する処理と組み合わせるようにしたが、動き検出部１７及び補償波形演算部１８での処理だけを行う構成としてもよい。
【００４５】
なお、ここまで説明した各実施の形態では、照明装置を構成するバックライトを、画面の垂直方向に６つに分割させた例について説明したが、より多くの分割数として、それぞれの個別発光部の発光タイミングを、その発光位置の画素の書込みタイミングに対応して設定させる構成としてもよい。
【００４６】
また、上述した各実施の形態では、バックライトの光源として、発光ダイオードを使用した例としたが、冷陰極管（ＣＣＦＬ）などのその他の光源を使用してもよい。但し、本発明の処理を実現できる点灯輝度の制御が可能な光源である必要があるので、現状では発光ダイオードが最も好ましい。
【００４７】
また、上述した各実施の形態では、照明装置を構成するバックライトを、液晶表示装置と一体化させた例について説明したが、本例の点灯処理を行う照明装置（バックライト）を作成して、既存の透過型の画像表示装置の背面に配置するようにしてもよい。
【００４８】
また、上述した各実施の形態では、液晶表示装置に適用した例としたが、その他のバックライトを必要とする表示装置にも適用可能である。或いは、表示素子そのものが発光する構成の表示装置、例えばＥＬ（electro-luminescence）パネルの発光制御にも適用可能である。
【図面の簡単な説明】
【００４９】
【図１】本発明の第１の実施の形態による表示装置の構成例を示すブロック図である。
【図２】本発明の第１の実施の形態によるガウス分布波形の例を示す波形図である。
【図３】本発明の第１の実施の形態による各発光部の発光駆動例を示す特性図である。
【図４】本発明の第１の実施の形態による正規分布波形による網膜上ＭＴＦの例を示す特性図である。
【図５】本発明の第１の実施の形態の例による網膜上ＭＴＦと、点滅表示による網膜上ＭＴＦとを比較した特性図である。
【図６】本発明の第２の実施の形態による表示装置の構成例（動き補償を行う場合の例）を示すブロック図である。
【図７】像の動きを説明するための説明図である。
【図８】時間による位置変化を示す説明図である。
【図９】理想的な網膜上座標を示す説明図である。
【図１０】インパルス型の像の動きを示す説明図である。
【図１１】インパルス型の網膜上座標を示す説明図である。
【図１２】ホールド型の像の動きを示す説明図である。
【図１３】ホールド型の網膜上座標を示す説明図である。
【図１４】ホールド型（１／３ブリンキング表示）の像の動きを示す説明図である。
【図１５】ホールド型（１／３ブリンキング表示）の網膜上座標を示す説明図である。
【図１６】ホールド型表示装置の一般的な網膜上ＭＴＦの例を示す特性図である。
【符号の説明】
【００５０】
１１…映像信号入力端子、１２…映像信号入力部、１３…パネル駆動信号生成部、１４…同期検出部、１５…発光駆動信号生成部、１６…変調部、１７…動き検出部、１８…補償波形演算部、１９…制御部、２０…液晶表示パネル、３０…バックライト、３１…第１発光部、３２…第２発光部、３３…第３発光部、３４…第４発光部、３５…第５発光部、３６…第６発光部、１００…画面、１０１…像
【図１】
2006243283.tif 000003
【図２】
2006243283.tif 000004
【図３】
2006243283.tif 000005
【図４】
2006243283.tif 000006
【図５】
2006243283.tif 000007
【図６】
2006243283.tif 000008
【図７】
2006243283.tif 000009
【図８】
2006243283.tif 000010
【図９】
2006243283.tif 000011
【図１０】
2006243283.tif 000012
【図１１】
2006243283.tif 000013
【図１２】
2006243283.tif 000014
【図１３】
2006243283.tif 000015
【図１４】
2006243283.tif 000016
【図１５】
2006243283.tif 000017
【図１６】
2006243283.tif 000018